(57)【要約】    【課題】      水洗い・泥掃け性が良好な建設機械のフロアマットにあっても、運転者が何ら違和感を感じないで良好に操作ができるような床面となるフロアマットを提供しようとする。    【解決手段】  表面に凸部10と凹部11が形成される建設機械のフロアマットにおいて、凹部11のみ、泥等排出部側Ｂが低部となるように任意の傾斜を形成させた。【選択図】        図１
2005254903.tif 000002
【特許請求の範囲】
【請求項１】
表面に凸部と凹部が形成される建設機械のフロアマットにおいて、凹部のみ、泥等排出部側が低部となるように任意の傾斜を形成させたことを特徴とする建設機械のフロアマット。  
【発明の詳細な説明】
【技術分野】
【０００１】
この発明は、建設機械の運転室に配置されるフロアマットに関する。
【背景技術】
【０００２】
建設機械の運転室内においては、その作業状況から泥の付いた長靴・安全靴で乗り込むことが多く、運転室内に泥や砂が溜まりやすい状況となっている。
【０００３】
一方、運転室の床面には、滑り止め防止の凸部と凹部が形成されるフロアマットが敷設されるが（例えば特開２００２−３４７４９９号に開示）、このようなフロアマットにおいては凹部に泥や砂が溜まることになるので、このような表面の凸凹構造は泥や砂から運転者の足置きに支障を起こさせない手段にもなっている。
【０００４】
しかし、凹部に溜まった泥や砂を掃出する必要もあり、このため凸凹部が形成されるフロアマットにおいて、水をかけながら掃除する際、凹部に溜まった泥や砂を運転室の外に排除しやすいようにする構造が種々提案されている。
【０００５】
例えば、特開２０００−１３６５４６号（特許文献１）では、フロアマットを運転室後方側が低くなるように傾斜させ、水の流れが運転室下の隔壁に向かうようにし、そこからドア入口側に向かうようにする構造が、また特開２００２−３２１５５７号（特許文献２）では、フロアマットを運転室前後方向の中央部が一番低くなるように前後方向に沿って傾斜させ、水の流れが中央部に行くようにし、そこからドア入口に向かうようにする構造がそれぞれ提案されている。なお、特開２０００−１７６９１号（特許文献３）では、表面に凸凹部が形成されない構造を前提としているが、フロアマットの表面を運転室のドア入口側が低くなるように幅方向に向かう傾斜を付け、水の流れがドア入口側に向かうような構造となっている。
【０００６】
【特許文献１】特開２０００−１３６５４６号（２頁０００８段）
【特許文献２】特開２００２−３２１５５７号（３頁００２３段）
【特許文献３】特開２０００−１７６９１号（２頁００１３段、３頁００２９段、図３）
【発明の開示】
【発明が解決しようとする課題】
【０００７】
しかし、これらの技術においては、フロアマットが傾斜してしまうので、運転室の床面が傾いてしまうことになり、そこに足を置いて操作する運転者が違和感を感じて、建設機械の操作がしにくいという問題があった。
【０００８】
この発明は、従来技術の以上のような問題に鑑み創案されたもので、水洗い・泥掃け性が良好な建設機械のフロアマットにあっても、運転者が何ら違和感を感じないで良好に操作ができるような床面となるフロアマットを提供しようとするものである。
【課題を解決するための手段】
【０００９】
このため、この発明に係る建設機械のフロアマットは、表面に凸部と凹部が形成される建設機械のフロアマットにおいて、凹部のみ、泥等排出部側が低部となるように任意の傾斜を形成させたことを特徴とするものである。
【００１０】
前記泥等排出部とは、フロアマットを水洗いをする際、洗った水を運転室の外に排出する部分をいい、運転室のドア入口から排出する構造ではそのドア入口が該当し、それ以外に排出する部分があればその部分をいう。泥等排出部が２以上あっても良い。
【００１１】
傾斜は、運転室の前後方向、幅方向、あるいはそれらの複合的方向（例えば渦巻き状等）のいずれでも、泥等排出部側が低部となるような任意の傾斜となっていれば良い。
【００１２】
本発明においては、凹部に、泥等排出部側が低部となるように任意の傾斜を形成させているので、フロアマットを水洗い等をする際は、凹部に溜まった泥や砂は水と一緒にその傾斜に沿った掃出路を流れていき、低部となっている泥等排出部から運転室の外に排除される。一方、そのような傾斜は凹部だけに形成されるので、凸部は水平状態（凸部は水平面となる）が維持される。このため、運転者が運転室のフロアマットに足を置いても傾斜を感じることなく、すなわち何の違和感も感じることなく、運転者は建設機械の操作ができることになる。
【００１３】
本発明において、水が泥等と一緒に流れていく前記掃出路は凸凹部の配置によって任意に形成されるが、その形状は必ずしも直線状でなくても、例えば曲線状、直線と曲線の組み合わせの形状等、任意の形状で良い。また、掃出路の幅も上流側と下流側とで同じにしても良いが、下流側、すなわち低部側に向かうにしたがい、広くなるように形成すれば、水に流される泥等が下流側で詰まることが防げ、水洗い・泥掃け性がより向上する。
【００１４】
また、凸部先端が平坦面である場合、そこに泥・砂等が溜まることもあるので、先端にテーパを形成させても良い。さらに凸部に撥水性部材を被覆すれば、水洗いの際、水が凹部に入りやすくなり、水捌け性が向上する。一方、凹部のうち泥等排出部の端部となる端面に、流適用の切り欠きまたは凹み（例えば図３に示す14）や突起等を形成させても良い。
【発明の効果】
【００１５】
以上説明したように、この発明に係る建設機械のフロアマットによれば、水洗い・泥掃け性が良好なうえ、運転者が何ら違和感を感じないで良好に操作ができる床面が形成される。
【発明を実施するための最良の形態】
【００１６】
本発明の具体的実施形態例を図１に基づき説明する。本形態例は、油圧ショベルの運転室に適用された一例であり、水洗いの際の泥等排出部をドア入口（Ｂ）とする例である。
【００１７】
図１(a)は運転室のドア側（ドアは外した状態）からフロアマットを見た斜視図、同(b)はＡ−Ａ断面図であり、図中、1はフロアマット、2は運転シート、3は操作用コンソール、4はフットペダル、5はフットレストを各示す。
【００１８】
フロアマット1は、図示のように、運転シート2の前方側の床面に敷設されており、その表面には、運転室の幅方向に向かう直線状の凸部10が複数列設され、その列設される凸部10間に直線状の凹部11が形成されている。
【００１９】
前記凸部10は、頂部が平面となる断面等脚台形状よりなり、頂部までの高さはいずれの凸部10も同じ高さに設定される。すなわち、凸部10によって形成されるフロアマット1の上面は水平状態の面となる。なお、図２(a)に示すように、凸部10の先端にテーパを形成させたり、同図(b)に示すように、凸部10の先端に撥水性部材12を被覆させたりすれば、頂部に泥等が溜まることをより防止でき、かつ水洗い時の泥掃け性を向上させることもでき、より有益となる。
【００２０】
一方、前記凹部11は、その深さがドア入口側（Ｂ）に向かうほど深く形成されている。すなわち、運転室幅方向に向かってドア入口反対側（Ｃ）が高く、ドア入口側（Ｂ）が低くなるような傾斜が形成されている。また、凹部11は、その幅がドア入口側（Ｂ）に向かうほど広く形成されている。凹部11は、水洗いの際の水が流れる掃出路となる部分であり、したがって、本形態例の掃出路は、ドア入口反対側（Ｃ）が上流側、ドア入口側（Ｂ）が下流側となり、下流側に向かうにしたがい幅が広く形成されることになって、水捌け性がより向上している。なお、図２(b)に示すように、凹部11の底部に親水性部材13を被覆したり、また図３に示すように、凹部11のうちドア入口側（Ｂ）端部となる端面に切り欠き14を形成させれば、凹部11内の流適性が向上する。
【００２１】
以上の本形態例のフロアマット1によれば、凸部10間の凹部11には運転手の靴から落ちる泥や砂が溜まることになり、それを水で洗いながせば、水と一緒に泥や砂は凹部11の傾斜にしたがってドア入口側（Ｂ）に向かい、そこから排出されることになる。凹部11によって形成される掃出路は、下流に行くにしたがい幅が広くなるから、水の流れが途中で詰まることなく、泥や砂をスムーズに排出できる。
【００２２】
一方、凸部10の高さはすべて同じ高さであり、凸部10で形成されるフロアマット1上面は水平面となるので、運転手が足をマット面に置いた際、何の違和感も感じることがない。もちろん、凸部10によって滑り止めの効果も得られる。
【産業上の利用可能性】
【００２３】
この発明は、運転室が配置される種々の建設機械に適用可能である。
【図面の簡単な説明】
【００２４】
【図１】本発明に係る一形態例を示し、(a)は運転室をドア入口側から見た斜視図、(b)はＡ−Ａ断面図である。
【図２】凸部と凹部の他の形態例を示し、(a)は凸部先端にテーパが形成された形態、(b)は凸部先端に撥水性部材を被覆し、凹部底部に親水性部材を被覆した形態の各説明図である。
【図３】凹部端部の切り欠き部の説明図である。
【符号の説明】
【００２５】
1        フロアマット
2        運転シート
3        操作用コンソール
4        フットペダル
5        フットレスト
10        凸部
11        凹部
【図１】
2005254903.tif 000003
【図２】
2005254903.tif 000004
【図３】
2005254903.tif 000005